(57)【要約】      （修正有）【課題】図柄によって審美観を高めると共に筒状編地のフリンジ内に指を挿入するような使用方法によってはフリンジの形状が立体的に変化し図柄の特徴も変化させ得るというような使用方法も可能なマフラーの提供。【解決手段】帯状に長いマフラー本体の両端に、開口部を有する袋体を配し、該袋体には袋体の内部空間と連通する内部空隙を有し先端を閉塞された筒状編地よりなる袋状フリンジを連設してなり、袋状フリンジには筒状編地編成時、編地の適所に編柄を発現している。【選択図】図１
0003120884.tif 000002
【実用新案登録請求の範囲】
【請求項１】
帯状に長いマフラー本体の両端に、開口部を有する袋体を配し、該袋体に、袋体の内部空間と連通する内部空隙を有し先端を閉塞された筒状編地よりなり、筒編地編成時編地の適所に柄を発現した袋状フリンジを連設したことを特徴とするマフラー。
【考案の詳細な説明】
【技術分野】
【０００１】
本考案は、マフラーに関する。
【背景技術】
【０００２】
マフラーは防寒用として用いられる一般的な衣料品でもあるために、そのデザインは流行等をふまえて、極めて多いが、普通には適宜の幅を有する帯状の長方形をなし、その長手方向端縁には房状体が設けられている。そして、房状体の形状に特徴を見出そうとするものが古くから使用されている（特許文献１）。然し、このマフラーは房状体の形状に特徴を生ぜしめたものであって、房状体の色彩，柄等に特徴を持たせ、更にはその機能に特異点を見出したものではない。
【０００３】
また、マフラーは防寒用として使用されるのであるが、首肩部分の防寒用としてのみでなく、手先をも暖めるためにポケットを設けたものも知られている（特許文献２）。更には、マフラーの端部に手袋を備えたものも知られている（特許文献３）。
然し、これらのマフラーはいずれも衣料としてのマフラーの防寒効果等においては特徴を有しているが、特に審美的な点においては何等の効果を発揮しているものではない。
【特許文献１】実公昭１４−４９８８号公報
【特許文献２】実開昭４７−５０２３号公報
【特許文献３】実開昭６０−１８９５１７号公報
【考案の開示】
【考案が解決しようとする課題】
【０００４】
本考案マフラーは、前記した従来のマフラーが、保温防寒効果等を得るには満足すべき点が有ったとしても、審美的な面から見て満足がいかない点を有していたのに鑑みて、着用時その使用態様によって種々の意匠上の異なる効果を発現し顕示することが出来るようにしている。
【０００５】
即ち、マフラー本体の両端に袋体を設けることによって、袋体に手先を入れ手先を暖めることが出来るようにしているが、更に、袋体には袋体内部と通じている内部空隙を有する複数の袋状フリンジを設けてある。そして、このフリンジは筒編地編成時に所要のニードル操作で編地に図柄を編み出してあるために、その図柄によって審美観を高めると共に筒状編地のフリンジ内に指を挿入するような使用方法によってはフリンジの形状が立体的に変化し図柄の特徴も変化させ得るというような使用方法も可能となっている。
【課題を解決するための手段】
【０００６】
本考案のマフラーにあっては、帯状に長いマフラー本体の両端に、開口部を有する袋体を配し、該袋体には袋体の内部空間と連通する内部空隙を有し先端を閉塞された筒状編地よりなる袋状フリンジを連設してなり、袋状フリンジには筒状編地編成時、編地の適所に編柄を発現している。
【考案の効果】
【０００７】
マフラー本体の両端に、開口部を有する袋体を設け、該袋体に、袋体の内部と連通する内部空隙を有する複数の袋状フリンジを設けたために、フリンジを幅広くすることが可能となり、マフラー本体のみでなく容易にフリンジにも絵柄を入れることが出来るようになった。
【０００８】
また、袋状フリンジは、筒編地を用いているため、編成時に選針手段の記憶により所定の位置に適宜の絵柄を配することが可能となった。
また、使用に際してマフラーの開口部から手を入れフリンジの内部空隙に指を入れることで、着用しているマフラーの絵柄をより立体的に見せることが出来る等の効果を有する。
【考案を実施するための最良の形態】
【０００９】
本考案を実施するための最良の形態につき以下図面と共に説明する。図１Ａは本考案マフラー１４の端部を示す平面図、同Ｂは図１ＡのＢ−Ｂ線断面図、同Ｃは図１ＡのＣ−Ｃ線断面図、同Ｄは第２の実施例の同様断面図、図２は袋状フリンジと一体の環状編地の平面図である。
【００１０】
マフラー１は、帯状に長いマフラー本体２の両端部に袋体３を構成し、袋体３には複数の袋状フリンジ４を並設してなるものである。マフラー本体２は、帯状に長い一枚の生地でも或いは適宜枚数重ね合わせた生地よりなるものでも良いが、図示の例では筒状に編成された編地を偏平に畳み、袋体３を構成しようとする部分の堺目において、前記筒状編地の重なり合った表面生地５に切れ目を入れ開口６を形成させている。作られた開口６において表面生地５は裏面生地７に縫着８される。これによりマフラー本体２の端部には開口６を有し、表面生地５と裏面生地７とよりなる袋体３が構成される。そして、前記袋体３の開口６の反対側端部の開口９には、袋状フリンジ４を複数並設し、開口９を閉塞する。マフラー本体２，袋体３，袋状フリンジ４等の表面には柄１０を発現させることは自由である。
【００１１】
袋状フリンジ４は、頂部４ａから基部４ｂに向け筒状に形成し、生地の頂部４ａを適宜手段により閉じ筒状生地の基部４ｂは開放状態のまま袋体３の表面生地５と裏面生地７との間に押し込んで、袋状フリンジ４の内部空隙１１と袋体３の内部空間１２とを連通させた状態で、袋状フリンジ４の基部４ｂと袋体３の表面生地５及び裏面生地７とを縫着１４する。
【００１２】
上記した袋状フリンジ４及び、表面及び又は裏面生地５，７は適宜柄模様１０を発現させている。表裏生地５，７は織地，編地等いずれでも差し支えなく、柄の発現手法も、製織時或いは編成時の使用糸の適宜の材質色相い等の組み合わせ、生地の組織の選択等による適宜手法により発現させ得るが、多様な柄を得るのには編地が好ましい。。
【００１３】
袋状フリンジ４の他の例を次に説明する。
袋状フリンジ４について上記説明では１本１本別途構成されたものを袋体３の開口９に並列し縫着１４する構成につき説明したが、複数の袋状フリンジ４をそれぞれ編成した後、各フリンジ４の基部に１つの環状編地を編み付けることによって、複数の袋状フリンジ４を一体化された１つの部材として構成することも可能で、この手段によれば袋体３への袋状フリンジ４の取り付けは極めて楽になり、各個別に袋状フリンジ４を袋体に取り付けるのに比較して、不揃いなく正確な位置に取り付けることが出来ることになる。
【００１４】
上記の一体化された袋状フリンジ４は次の如くして作られる。生地ははニット地を使用するため前後に針床を有する横編機を使用し、先ず最端位置にある袋状フランジ４を所定の幅となるように針数を決定し、所定針数の針の内中心部位に近い針を用いて袋状フリンジ４の頂部から交互に前後の針床の針を用いて編み始め順次その編み幅を増大して頂部の弧状編地を形成し、その後所定幅の前後の針床の針により交互に編成することで筒状のフリンジ４が編成される。そして所定長の編成が終了したときにその針は袋状フリンジ４を係止した状態で休止位置に置き、次に隣接する所定本数の針により前回同様の編成を袋体３の開口９が塞がる長さに相当するまで複数回行なう。そして全袋状フランジ４の編成が終了したときにそれまで休止位置にあった針を全部編成位置に置いて全針によって編成を開始すると、図２に示す如き、並列している袋状フリンジ４の基部４ｂに環状編地１５が連編された編地が作られる。
【００１５】
上記の環状編地１５の長さＬ（図２）を袋体３の長さｌ（図１Ｄ）と同様にすれば袋体３内は全面に編地で被われることになる。
本考案マフラー１を使用するときは、通常のように首肩を被うと共に、必要に応じて開口６から手を袋体３に入れることにより手先を暖めることが出来るが、フリンジが袋状をなしているために立体感が生じ通常のひも状のフリンジとは異なる審美観を生じさせ得るのである。特に袋体内に手指を挿入したような場合にその効果は増大される。そして、フリンジ部分には柄模様を配せば上記効果は更に上昇する。
【００１６】
上記柄の発現にはメリヤス編成機を用いて適所に自由に行うことが出来るので、柄発現のための費用増大は軽視して差し支えない。
【産業上の利用可能性】
【００１７】
本考案マフラーの袋状フリンジは上記した如く審美的効果を高めるために有用であるが、同様に例えばバンダナ，ヘアバンド等に用いることも可能である。
【図面の簡単な説明】
【００１８】
【図１】本考案マフラーを示すもので、Ａはマフラー端部を示す平面図、Ｂは図１ＡのＢ−Ｂ線断面図、Ｃは図１ＡのＣ−Ｃ線断面図、Ｄは他の実施例の上記同様断面図。
【図２】袋状フリンジとそれと一体の環状編地の平面図。
【符号の説明】
【００１９】
１  マフラー
２  マフラー本体
３  袋体
４  袋状フリンジ
４ａ  頂部
４ｂ  基部
５  表面生地
６，９  開口
７  裏面生地
８，１４  縫着
１０  柄
１１  内部空隙
１２  内部空間
１３  基部
１５  環状編地
【図１】
0003120884.tif 000003
【図２】
0003120884.tif 000004